(57)【特許請求の範囲】
【請求項１】
支柱と、前記支柱間に取り付けられたフェンス本体と、前記支柱を前記フェンス本体と共に可倒可能にベースプレート上に固定する連結金具とからなり、前記連結金具は、前記ベースプレート上に前記支柱の外径寸法と同間隔をあけて平行に固定された２枚の平板と、２本の転倒防止ボルトと、１本の上部支持ボルトと、１本の下部支持ボルトとからなり、前記転倒防止ボルト、前記上部支持ボルトおよび前記下部支持ボルトは、それぞれ前記平板間に平行に挿通され、前記転倒防止ボルトは、前記平板の上部間に、前記支柱の外径寸法と同間隔をあけて挿通され、前記上部支持ボルトは、一方の前記転倒防止ボルトの真下の前記平板間に挿通され、前記下部支持ボルトは、他方の前記転倒防止ボルトの真下の前記平板間に挿通され、前記転倒防止ボルト間に挿通された前記支柱の下部は、前記平板の下部間に軸ボルトにより軸支され、前記上部支持ボルトと前記下部支持ボルトとの上下方向の間隔は、前記支柱の外径寸法と等しく、前記支柱を前記軸ボルトを中心として倒したときに、前記支柱の上面に前記上部支持ボルトが当接すると共に、前記支柱の下面に前記下部支持ボルトが当接し、かくして、前記支柱は、前記フェンス本体と共に水平に倒れ、水平状態を維持することを特徴とする可倒式フェンス。
【請求項２】
支柱と、前記支柱間に取り付けられたフェンス本体と、前記支柱を前記フェンス本体と共に可倒可能にベースプレート上に固定する連結金具とからなり、前記連結金具は、前記ベースプレート上に前記支柱の外径寸法と同間隔をあけて平行に固定された２枚の平板と、２本の転倒防止ボルトと、１本の下部支持ボルトとからなり、前記転倒防止ボルトおよび前記下部支持ボルトは、それぞれ前記平板間に平行に挿通され、前記転倒防止ボルトは、前記平板の上部間に、前記支柱の外径寸法と同間隔をあけて挿通され、前記下部支持ボルトは、他方の前記転倒防止ボルトの真下の前記平板間に挿通され、前記転倒防止ボルト間に挿通された前記支柱の下部は、前記平板の中央部間に軸ボルトにより軸支され、一方の前記転倒防止ボルトと前記下部支持ボルトとの上下方向の間隔は、前記支柱の外径寸法と等しく、前記支柱を前記軸ボルトを中心として倒したときに、前記支柱の上面に前記転倒防止ボルトの一方が当接すると共に、前記支柱の下面に前記下部支持ボルトが当接し、かくして、前記支柱は、前記フェンス本体と共に水平に倒れ、水平状態を維持することを特徴とする可倒式フェンス。
【請求項３】
前記支柱は、丸パイプからなっていることを特徴とする、請求項１または２に記載の可倒式フェンス。
【請求項４】
前記平板間には、スぺーサーが配されていることを特徴とする、請求項１から３の何れかに記載の可倒式フェンス。
【発明の詳細な説明】
【技術分野】
【０００１】
この発明は、可倒式フェンス、特に、河川に沿って構築されるフェンスを地面と直接、接触しないように、容易かつ確実に水平に倒すことが可能な可倒式フェンスに関するものである。
【背景技術】
【０００２】
河川内への立ち入りによる水難事故や河川内への転落事故を未然に防止するために、河川に沿ってフェンスを構築する場合がある。
【０００３】
このようにフェンスが構築された河川において、河川の水が洪水時に増水して河川が氾濫した場合、上流から流れてくる流木等の漂流物が一旦、フェンスに引っ掛ると、漂流物は、連鎖的に次々に溜まり、その量がフェンスの強度限界を超えるとフェンスの破壊につながる。フェンスが破壊されると、河川の流れが平常に戻った後、フェンスを構築しなおさねばならず、復旧までに多大な時間と経費がかかる。
【０００４】
この問題は、フェンスを起倒可能な構造のものとし、河川の氾濫を予測し、事前にフェンスを倒しておくか、あるいは、支柱間に取り付けられたフェンス本体を支柱から撤去することによって解決することができる。
【０００５】
フェンス本体のみを撤去可能な構造にしたフェンスの一例が特許文献１（特開２００３−２０１７０６号公報）に開示されている。以下、このフェンスを従来フェンスといい、図面を参照しながら説明する。
【０００６】
図９は、支柱からフェンス本体を取り外した従来フェンスを示す斜視図、図１０は、従来フェンスを示す側面図であり、（ａ）は、フェンス本体を立ち上げて従来フェンスを組み立てる状態を示す側面図、（ｂ）は、フェンス本体を支柱にボルトとナットにより固定して従来フェンスを組み立てる状態を示す側面図である。
【０００７】
図９および図１０に示すように、従来フェンスは、支柱２１と、支柱２１間に着脱可能に取り付けられるフェンス本体２２とからなっている。
【０００８】
支柱２１は、平面形状がＴ字状に配されたフランジ２３とウェブ２４とからなっている。フランジ２３の上部には、ボルト孔２３ａが形成され、ウェブ２４の下部には、支軸２４ａがウェブ２４の内側に突出して取り付けられている。
【０００９】
フェンス本体２２の上部胴縁２５の両側には、ボルト孔２５ａが形成され、下部胴縁２６の両側には、支柱２１の支軸２４ａに嵌め込まれる逆Ｕ字状の軸受２６ａが取り付けられている。
【００１０】
このように構成されている従来フェンスは、以下のようにして組み立てられる。
【００１１】
図９に示すように、フェンス本体２２の下部胴縁２６に取り付けられた軸受２６ａを支柱２１の支軸２４ａに嵌め込み、図１０（ａ）に示すように、支軸２４ａを支点としてフェンス本体２２を垂直に立ち上げる。そして、図１０（ｂ）に示すように、互いに合致したフェンス本体２２の上部胴縁２５のボルト孔２５ａと支柱２１のフランジ２３のボルト孔２３ａとにボルト２７を挿通し、ナット２８により固定する。このようにして従来フェンスが組み立てられる。
【００１２】
一方、従来フェンスのフェンス本体２２を撤去するには、図１０（ｂ）に示すように、ボルト２７、ナット２８を外し、この後、フェンス本体２２を支軸２４ａを支点として水平に倒し、フェンス本体２２を支柱２１から取り外した後、他の場所に保管するか、あるいは、フェンス本体２２と支柱２１とを何らかの手段により連結しておく。
【先行技術文献】
【特許文献】
【００１３】
【特許文献１】特開２００３−２０１７０６号公報
【発明の概要】
【発明が解決しようとする課題】
【００１４】
上述のように、従来フェンスによれば、フェンス本体２２を支柱２１から容易に取り外し、他の場所に保管しておくか、何らかの手段によりフェンス本体２２と支柱２１とを連結しておくことによって、洪水時に流木等の漂流物によりフェンス本体２２が破壊されることを防止することができる。従って、支柱２１が漂流物により損傷を受けることはあっても、フェンス全体を再構築する必要はなくなる。
【００１５】
しかしながら、従来フェンスは、以下のような問題を有していた。
【００１６】
（１）フェンス本体２２を支柱２１から取り外して他の場所に保管しておく場合、フェンス本体２２の保管場所までの搬送に時間と手間がかかり、緊急時には間に合わないおそれがある。
【００１７】
（２）フェンス本体２２と支柱２１とを連結する場合、この作業に時間と手間がかかる。
【００１８】
（３）フェンス本体２２と支柱２１とをワイヤーロープ等で連結する場合、洪水時にフェンス本体２２がワイヤーロープの遊び分、移動して地面と擦れ、これによりフェンス本体２２に傷か付くおそれがある。
【００１９】
（４）フェンス本体２２が無傷で済んでも、支柱２１が漂流物により損傷を受けるおそれがある。
【００２０】
従って、この発明の目的は、フェンス全体、すなわち、支柱とフェンス本体を短時間に確実にしかも地面と直接、接触することなく水平に倒すことができ、かくして、洪水時における漂流物の溜まりを防止することができることは勿論、フェンス全体を地面と直接、接触しないように水平に倒すことができることから、地面との接触によりフェンスに傷がつくことを確実に防止することができる可倒式フェンスを提供することにある。
【課題を解決するための手段】
【００２１】
この発明は、上記目的を達成するためになされたものであり、下記を特徴とするものである。
【００２２】
請求項１に記載の発明は、支柱と、前記支柱間に取り付けられたフェンス本体と、前記支柱を前記フェンス本体と共に可倒可能にベースプレート上に固定する連結金具とからなり、前記連結金具は、前記ベースプレート上に前記支柱の外径寸法と同間隔をあけて平行に固定された２枚の平板と、２本の転倒防止ボルトと、１本の上部支持ボルトと、１本の下部支持ボルトとからなり、前記転倒防止ボルト、前記上部支持ボルトおよび前記下部支持ボルトは、それぞれ前記平板間に平行に挿通され、前記転倒防止ボルトは、前記平板の上部間に、前記支柱の外径寸法と同間隔をあけて挿通され、前記上部支持ボルトは、一方の前記転倒防止ボルトの真下の前記平板間に挿通され、前記下部支持ボルトは、他方の前記転倒防止ボルトの真下の前記平板間に挿通され、前記転倒防止ボルト間に挿通された前記支柱の下部は、前記平板の下部間に軸ボルトにより軸支され、前記上部支持ボルトと前記下部支持ボルトとの上下方向の間隔は、前記支柱の外径寸法と等しく、前記支柱を前記軸ボルトを中心として倒したときに、前記支柱の上面に前記上部支持ボルトが当接すると共に、前記支柱の下面に前記下部支持ボルトが当接し、かくして、前記支柱は、前記フェンス本体と共に水平に倒れ、水平状態を維持することに特徴を有するものである。
【００２３】
請求項２に記載の発明は、支柱と、前記支柱間に取り付けられたフェンス本体と、前記支柱を前記フェンス本体と共に可倒可能にベースプレート上に固定する連結金具とからなり、前記連結金具は、前記ベースプレート上に前記支柱の外径寸法と同間隔をあけて平行に固定された２枚の平板と、２本の転倒防止ボルトと、１本の下部支持ボルトとからなり、前記転倒防止ボルトおよび前記下部支持ボルトは、それぞれ前記平板間に平行に挿通され、前記転倒防止ボルトは、前記平板の上部間に、前記支柱の外径寸法と同間隔をあけて挿通され、前記下部支持ボルトは、他方の前記転倒防止ボルトの真下の前記平板間に挿通され、前記転倒防止ボルト間に挿通された前記支柱の下部は、前記平板の中央部間に軸ボルトにより軸支され、一方の前記転倒防止ボルトと前記下部支持ボルトとの上下方向の間隔は、前記支柱の外径寸法と等しく、前記支柱を前記軸ボルトを中心として倒したときに、前記支柱の上面に前記転倒防止ボルトの一方が当接すると共に、前記支柱の下面に前記下部支持ボルトが当接し、かくして、前記支柱は、前記フェンス本体と共に水平に倒れ、水平状態を維持することに特徴を有するものである。
【００２４】
請求項３に記載の発明は、請求項１または２に記載の可倒式フェンスにおいて、前記支柱は、丸パイプからなっていることに特徴を有するものである。
【００２５】
請求項４に記載の発明は、請求項１から３の何れかに記載の可倒式フェンスにおいて、前記平板間には、スぺーサーが配されていることに特徴を有するものである。
【発明の効果】
【００２６】
この発明によれば、フェンス全体、すなわち、支柱とフェンス本体を短時間に確実にしかも地面と直接、接触することなく水平に倒すことができ、かくして、洪水時における漂流物の溜まりを防止することができることは勿論、フェンス全体を地面と直接、接触しないように水平に倒すことができることから、地面との接触によりフェンスに傷がつくことを確実に防止することができる。
【図面の簡単な説明】
【００２７】
【図１】この発明の可倒式フェンスを示す正面図である。
【図２】この発明の可倒式フェンスを示す側面図である。
【図３】この発明の可倒式フェンスの連結金具を示す平面図である。
【図４】この発明の可倒式フェンスの連結金具を示す側面図である。
【図５】この発明の可倒式フェンスの支柱とフェンス本体との固定部分を示す断面図である。
【図６】水平に倒した、この発明の可倒式フェンスを示す側面図である。
【図７】この発明の他の可倒式フェンスの連結金具を示す側面図である。
【図８】水平に倒した、この発明の他の可倒式フェンスを示す側面図である。
【図９】支柱からフェンス本体を取り外した従来フェンスを示す斜視図である。
【図１０】従来フェンスを示す側面図であり、（ａ）は、フェンス本体を立ち上げて従来フェンスを組み立てる状態を示す側面図、（ｂ）は、フェンス本体を支柱にボルトとナットにより固定して従来フェンスを組み立てる状態を示す側面図である。
【発明を実施するための形態】
【００２８】
この発明の可倒式フェンスの一実施態様を、図面を参照しながら説明する。
【００２９】
図１は、この発明の可倒式フェンスを示す正面図、図２は、この発明の可倒式フェンスを示す側面図、図３は、この発明の可倒式フェンスの連結金具を示す平面図、図４は、この発明の可倒式フェンスの連結金具を示す側面図、図５は、この発明の可倒式フェンスの支柱とフェンス本体との固定部分を示す断面図である。
【００３０】
図１から図５において、１は、丸パイプからなる支柱、２は、支柱１間に固定されたフェンス本体である。支柱１とフェンス本体２とは、図５に示すように、支柱１に固定した半球状継手３とフェンス本体２の固定された凹状継手４とを互いに嵌合させ、両継手３と４を連結ボルト５により連結することによって、フェンス本体２を支柱１に対して角度調整可能に固定することができるようになっている。なお、凹状継手４に形成されたボルト孔（図示せず）は、フェンス本体２が所定の角度範囲で傾斜可能な形状になっている。
【００３１】
６は、ベースプレートであり、アンカーボルト７によって地面（路面）上に固定されている。８は、支柱１をフェンス本体２と共にベースプレート６上に固定する連結金具である。連結金具８は、ベースプレート６上に支柱１の外径寸法（Ｒ）（図４参照）と同間隔をあけて平行に固定された２枚の平板９と、２本の転倒防止ボルト１０ａ、１０ｂと、１本の上部支持ボルト１１と、１本の下部支持ボルト１２とからなっている。
【００３２】
平板９間の間隔は、支柱１の外径寸法と同間隔であるが、支柱１は、平板９間を後述する軸ボルト１３を中心として起倒可能である。なお、座金（図示せず）を軸ボルト１３に通し、支柱１と平板９とを前記座金を介して接触させれば、支柱１に疵をつけることなく支柱１を円滑に起倒させることができる。
【００３３】
転倒防止ボルト１０ａ、１０ｂ、上部支持ボルト１１および下部支持ボルト１２は、それぞれ平板９間に平行に挿通されている。転倒防止ボルト１０ａ、１０ｂは、平板９の上部間に、支柱１の外径寸法と同間隔をあけて挿通されている。上部支持ボルト１１は、一方の転倒防止ボルト１０ａの真下の平板９間に挿通され、下部支持ボルト１２は、他方の転倒防止ボルト１０ｂの真下の平板９間に挿通されている。上部支持ボルト１１と下部支持ボルト１２との上下方向の間隔は、支柱１の外径寸法と等しくなっている。
【００３４】
一方の転倒防止ボルト１０ａと他方の転倒防止ボルト１０ｂとの間に挿通された支柱１の下部は、平板９の下部間に軸ボルト１３により軸支されている。軸ボルト１３は、上部支持ボルト１１と下部支持ボルト１２の間隔の中間部の平板９間に挿通されている。これにより、支柱１を軸ボルト１３を中心として倒したときに、支柱１の上面に上部支持ボルト１１が当接すると共に、支柱１の下面に下部支持ボルト１２が当接する。このようにして、支柱１が軸ボルト１３を中心として上部支持ボルト１１と下部支持ボルト１２とにより挟まれて支持されることにより、支柱１は、フェンス本体２と共に地面に直接、接触することなく水平に倒れ、この状態を維持する（図６参照）。
【００３５】
なお、転倒防止ボルト１０ａ、１０ｂ、上部支持ボルト１１および下部支持ボルト１２は、丸パイプからなり、支柱１の外径寸法と同じ長さのスぺーサー１８（図３参照）を介して平板９間に挿通されているので、これらのボルト１０ａ、１０ｂ、１１および１２を締めつけても支柱１が平板９によって締め付けられることはない。従って、支柱１を起倒させる際には、転倒防止ボルト１０ｂのみの緩めあるいは締付け作業を行えば良く、支柱１の起倒作業が容易に行える。なお、スぺーサー１８に関しては、後述する他の可倒式フェンスにおいても同様である。
【００３６】
このように構成されている、この発明の可倒式フェンス起倒方法について説明する。
【００３７】
先ず、この発明の可倒式フェンスを水平に倒すには、他方の転倒防止ボルト１０ｂのみを平板９から取り外す。そして、支柱１をフェンス本体２と共に倒す。フェンスは、支柱１の下部上面に上部支持ボルト１１が当接し、支柱１の下部下面に下部支持ボルト１２が当接するまで倒れ、この状態でフェンスは、水平になり、この姿勢を維持する（図６参照）。従って、フェンスが地面と直接、接触することはない。
【００３８】
一方、この発明の可倒式フェンスを起こすには、可倒式フェンスを倒す場合とは逆の操作をすれば良い。すなわち、図６の状態からフェンスを垂直に起こし、他方の転倒防止ボルト１０ｂを平板９間に挿入し、締める。
【００３９】
次に、この発明の可倒式フェンスの他の実施態様について、図面を参照しながら説明する。
【００４０】
図７は、この発明の他の可倒式フェンスの連結金具を示す側面図、図８は、水平に倒した、この発明の他の可倒式フェンスを示す側面図である。
【００４１】
図７および図８において、図１から図６に示した実施態様と同一番号は、同一物を示し、説明は、省略する。
【００４２】
この発明の可倒式フェンスの他の実施態様において、図１から図６に示した実施態様と異なる点は、連結金具の構造にある。他の実施態様の連結金具１４は、ベースプレート６上に支柱１の外径寸法（Ｒ）（図７参照）と同間隔をあけて平行に固定された２枚の平板１５と、２本の転倒防止ボルト１６ａ、１６ｂと、１本の下部支持ボルト１７とからなっている。転倒防止ボルト１６ａ、１６ｂおよび下部支持ボルト１７は、それぞれ平板１５間に平行に挿通されている。転倒防止ボルト１６ａ、１６ｂは、平板１５の上部間に、支柱１の外径寸法と同間隔をあけて挿通されている。下部支持ボルト１７は、他方の転倒防止ボルト１６ｂの真下の平板１５間に挿通されている。他方の転倒防止ボルト１６ａと下部支持ボルト１７との上下方向の間隔は、支柱１の外径寸法と等しくなっている。
【００４３】
このように構成されている、この発明の他の可倒式フェンス起倒方法について説明する。
【００４４】
先ず、この発明の他の可倒式フェンスを水平に倒すには、他方の転倒防止ボルト１６ｂのみを平板１５から取り外す。そして、支柱１をフェンス本体２と共に倒す。フェンスは、支柱１の下部上面に一方の転倒防止ボルト１６ａが当接し、支柱１の下部下面に下部支持ボルト１７が当接するまで倒れ、一方の転倒防止ボルト１６ａと下部支持ボルト１７とが支柱１に当接した時点でフェンスは、水平に倒れ、この姿勢を維持する（図８参照）。従って、フェンスが地面と直接、接触することはない。
【００４５】
一方、この発明の他の可倒式フェンスを起こすには、可倒式フェンスを倒す場合とは逆の操作をすれば良い。すなわち、図８の状態からフェンスを垂直に起こし、他方の転倒防止ボルト１６ｂを平板１５間に挿入し、締める。
【００４６】
以上説明したように、この発明の可倒式フェンスによれば、フェンスを倒すには、他方の転倒防止ボルト１０ｂ、１６ｂを平板９（１５）から取り外す。そして、フェンスを倒せば、フェンスは、水平に倒れ、この姿勢を維持する。従って、フェンスが地面と直接、接触することはない。
【００４７】
この結果、洪水時における漂流物の溜まりを防止することができることは勿論、フェンス全体を地面と直接、接触しないように水平に倒すことができることから、地面との接触によりフェンスに傷がつくことを確実に防止することができる。
【符号の説明】
【００４８】
１：支柱
２：フェンス本体
３：半球状継手
４：凹状継手
５：連結ボルト
６：ベースプレート
７：アンカーボルト
８：連結金具
９：平板
１０ａ：一方の転倒防止ボルト
１０ｂ：他方の転倒防止ボルト
１１：上部支持ボルト
１２：下部支持ボルト
１３：軸ボルト
１４：連結金具
１５：平板
１６ａ：一方の転倒防止ボルト
１６ｂ：他方の転倒防止ボルト
１７：下部支持ボルト
１８：スぺーサー
２１：支柱
２２：フェンス本体
２３：フランジ
２３ａ：ボルト孔
２４：ウェブ
２４ａ：支軸
２５：上部胴縁
２５ａ：ボルト孔
２６：下部胴縁
２６ａ：軸受
２７：ボルト
２８：ナット
【図１】
0005707232.tif 000002
【図２】
0005707232.tif 000003
【図３】
0005707232.tif 000004
【図４】
0005707232.tif 000005
【図５】
0005707232.tif 000006
【図６】
0005707232.tif 000007
【図７】
0005707232.tif 000008
【図８】
0005707232.tif 000009
【図９】
0005707232.tif 000010
【図１０】
0005707232.tif 000011